(57)【要約】【課題】被写体に動きのある場合においても、複数の撮影画像の中から所望の構図を有する画像の選択を容易にすることができるカメラを提供することを目的とする。【解決手段】被写体の像を撮影する撮像部と、該撮像部により取得された画像を記録する記録部と、画像における被写体の位置情報を設定する位置情報設定部と、画像の中の被写体を検出する被写体検出部と、該被写体検出部により検出された被写体の位置と前記位置情報設定部に設定された位置情報とを比較する位置情報比較部と、該位置情報比較部による比較結果に基づいて、前記記録部に記録された画像の並び替えを行う画像ソート部と、該画像ソート部によって並び替えられた順序で画像を表示する表示部とを備えるカメラを採用する。【選択図】図１
2009065455.tif 000002
【特許請求の範囲】
【請求項１】
被写体の像を撮影する撮像部と、
該撮像部により取得された画像を記録する記録部と、
画像における被写体の位置情報を設定する位置情報設定部と、
画像の中の被写体を検出する被写体検出部と、
該被写体検出部により検出された被写体の位置と前記位置情報設定部に設定された位置情報とを比較する位置情報比較部と、
該位置情報比較部による比較結果に基づいて、前記記録部に記録された画像の並び替えを行う画像ソート部と、
該画像ソート部によって並び替えられた順序で画像を表示する表示部とを備えるカメラ。
【請求項２】
前記位置情報設定部により設定される位置情報が、前記撮像部により予め取得した画像における被写体の位置である請求項１に記載のカメラ。
【請求項３】
前記被写体検出部により検出された複数の被写体の中から、注目する被写体を選択する被写体選択部を有する請求項１または請求項２に記載のカメラ。
【請求項４】
前記被写体検出部が、前記撮像部により時間間隔をあけて取得された２枚の画像を比較して、動きのある領域を被写体として検出する請求項１から請求項３のいずれかに記載のカメラ。
【請求項５】
前記位置情報比較部が、前記位置情報設定部に設定された領域の面積に対する、該被写体検出部により検出された被写体の領域と前記位置情報設定部に設定された領域とが重なる面積を、比較結果として算出する請求項１から請求項４のいずれかに記載のカメラ。
【請求項６】
前記位置情報比較部が、前記被写体検出部により検出された被写体の中心位置と前記位置情報設定部に設定された座標との距離を、比較結果として算出する請求項１から請求項４のいずれかに記載のカメラ。
【発明の詳細な説明】
【技術分野】
【０００１】
本発明は、撮影画像の並び替えを行うカメラに関するものである。
【背景技術】
【０００２】
従来、複数の撮影画像の中から所望の画像の選択を容易にするために、撮影画像の中から目や顔等の特定の人物部分を抽出し、抽出した目や顔等の状態を判別することにより、予め設定された条件の下で複数の撮影画像を評価し、高い評価の撮影画像を選別する方法が知られている（例えば、特許文献１参照。）。
【特許文献１】特開２００５−４５６００号公報
【発明の開示】
【発明が解決しようとする課題】
【０００３】
しかしながら、ある特定の条件（目や顔の状態）のみで画像を評価する上記技術では、連写撮影中に被写体が動き回っているような撮影シーン、例えば、運動会の５０ｍ走で走っている子供を連写撮影するような場合において、撮影者が所望する構図を有する撮影画像を選別することができないという不都合がある。
【０００４】
本発明は、上記事情に鑑みてなされたもので、被写体に動きのある場合においても、複数の撮影画像の中から所望の構図を有する画像の選択を容易にすることができるカメラを提供することを目的とする。
【課題を解決するための手段】
【０００５】
上記課題を解決するために、本発明は以下の手段を採用する。
本発明は、被写体の像を撮影する撮像部と、該撮像部により取得された画像を記録する記録部と、画像における被写体の位置情報を設定する位置情報設定部と、画像の中の被写体を検出する被写体検出部と、該被写体検出部により検出された被写体の位置と前記位置情報設定部に設定された位置情報とを比較する位置情報比較部と、該位置情報比較部による比較結果に基づいて、前記記録部に記録された画像の並び替えを行う画像ソート部と、該画像ソート部によって並び替えられた順序で画像を表示する表示部とを備えるカメラを採用する。
【０００６】
本発明によれば、位置情報比較部により位置情報設定部に設定された被写体の位置情報と被写体検出部により検出された被写体の位置とが比較され、その比較結果に基づいて画像ソート部により記録部に記録された画像の並び替えが行われる。したがって、撮影者は、位置情報設定部に所望の被写体位置を設定することにより、設定した構図に近い画像を表示部に優先的に表示させることができ、複数の画像の中から所望の構図を有する画像を選択する作業を容易に行うことが可能となる。
【０００７】
また、上記発明において、前記位置情報設定部により設定される位置情報が、前記撮像部により予め取得した画像における被写体の位置としてもよい。
このようにすることで、予め取得した画像に近い構図を有する画像を優先的に表示することができる。
【０００８】
また、上記発明において、前記被写体検出部により検出された複数の被写体の中から、注目する被写体を選択する被写体選択部を有してもよい。
このようにすることで、被写体検出部により複数の被写体が検出された場合にも、注目する被写体が所望の位置となるような構図を有する画像を優先的に表示することができる。
【０００９】
また、上記発明において、前記被写体検出部が、前記撮像部により時間間隔をあけて取得された２枚の画像を比較して、動きのある領域を被写体として検出してもよい。
このようにすることで、動きのある領域を被写体として検出することができる。
【００１０】
また、上記発明において、前記位置情報比較部が、前記位置情報設定部に設定された領域の面積に対する、該被写体検出部により検出された被写体の領域と前記位置情報設定部に設定された領域とが重なる面積を、比較結果として算出してもよい。
このようにすることで、所望の構図を有する画像に対する各画像の評価を定量的に行うことができる。また、被写体の位置だけではなく、被写体の大きさについても評価することが可能となる。
【００１１】
また、上記発明において、前記位置情報比較部が、前記被写体検出部により検出された被写体の中心位置と前記位置情報設定部に設定された座標との距離を、比較結果として算出してもよい。
このようにすることで、所望の構図を有する画像に対する各画像の評価を定量的に、かつ容易に行うことができる。
【発明の効果】
【００１２】
本発明によれば、被写体に動きのある場合においても、複数の撮影画像の中から所望の構図を有する画像の選択を容易にすることができるという効果を奏する。
【発明を実施するための最良の形態】
【００１３】
以下に、本発明の一実施形態に係るカメラについて、図面を参照して説明する。
図１に示すように、本実施形態に係るカメラ１は、被写体の像を撮影する撮像部２と、撮像部２によって取得された画像を処理する画像処理装置３と、画像を記録する記録メディア等である記録部１０５と、例えば、背面液晶等の表示デバイスである表示部１０６と、これらを制御する制御装置４とを備えている。
【００１４】
撮像部２は、レンズ等の撮像光学系１０１と、ＣＣＤ等の撮像素子１０２とを備えている。
制御装置４は、ユーザが操作ボタン等によってＩＳＯ感度や露出などの撮影条件の設定を行う操作部１０７と、設定された条件に基づいて各部を制御する制御部１０８とを備えている。
【００１５】
画像処理装置３は、入力された画像に対して画像処理を行う画像処理部１０３と、画像処理された画像を一時保存するバッファメモリ１１１と、画像の中の被写体を検出する被写体検出部１０４と、画像における被写体の位置情報を設定する位置情報設定部１１２と、被写体検出部１０４により検出された被写体の位置と位置情報設定部１１２に設定された位置情報とを比較する位置情報比較部１０９と、位置情報比較部１０９による比較結果に基づいてバッファメモリ１１１に記録された画像の並び替えを行う画像ソート部１１０とを備えている。
【００１６】
画像処理部１０３は、撮像素子１０２により取得された画像に対して、γ補正、色分離、および色マトリックス補正等の高画質化のための画像処理を施し、画像処理が行われた画像をバッファメモリ１１１に出力するようになっている。バッファメモリ１１１は、画像処理が行われた画像を一時保存するようになっている。
【００１７】
被写体検出部１０４は、設定された条件に基づいて被写体の検出を行うようになっている。具体的には、被写体検出部１０４は、図２に示すように、撮像部２により時間間隔をあけて取得され、バッファメモリ１１１に一時保存された２枚の画像を読み出して比較を行い、動きのある領域を被写体として検出し、検出した被写体の位置を位置情報比較部１０９に出力するようになっている。
【００１８】
位置情報設定部１１２は、画像における被写体の位置情報をユーザに設定させるようになっている。具体的には、予め撮影した画像がある場合には、図３（ａ）に示すように、該画像の画枠内における被写体の位置を被写体の位置情報とする。また、予め撮影した画像がない場合、あるいは、予め撮影した画像の中に所望の構図を有する画像がない場合には、図３（ｂ）に示すように、画面における被写体の領域をユーザに設定させてもよい。そして、このように設定された被写体の位置情報を位置情報比較部１０９に出力するようになっている。
【００１９】
位置情報比較部１０９は、被写体検出部１０４により検出された被写体の位置と位置情報設定部１１２に設定された被写体の位置情報とを比較し、比較結果を画像ソート部１１０に出力するようになっている。具体的には、図４（ａ）に示すように、位置情報設定部１０９に設定された領域Ｔ１の面積に対する、被写体検出部１０４により検出された被写体の領域Ｔ２と位置情報設定部１０９に設定された領域Ｔ１とが重なる面積を、比較結果として算出する。
【００２０】
画像ソート部１１０は、バッファメモリ１１１に一時保存された画像を読み出し、位置情報比較部１０９により算出された比較結果に基づいてバッファメモリ１１１より読み出した画像の並び替えを行い、並び替えた画像を記録部１０５に出力するようになっている。具体的には、位置情報設定部１０９により算出された比較結果、すなわち、位置情報設定部１０９に設定された被写体の位置情報との一致率が高い順から、表示部１０６に優先的に表示するように画像の並び替えを行う。ここで、一致率は、前述のように、図４（ａ）において、被写体検出部１０４により検出された被写体の領域Ｔ２と位置情報設定部１０９に設定された領域Ｔ１とが重なる面積を、領域Ｔ１の面積により除算することにより算出する。
この際、各画像のファイル名を優先度順位に基づいて変更してもよいし、あるいは優先度順位がわかるようなインデックスを各画像に付してもよい。
【００２１】
記録部１０５は、画像ソート部１１０により並び替えられた画像を記録するようになっている。
表示部１０６は、記録部１０５に記録された画像を読み出し、フォーマット変換を行うことによりユーザに目視可能に表示するようになっている。
【００２２】
このように構成された本実施形態に係るカメラの作用について、図５を用いて具体的な例を挙げて説明する。
まず、位置情報設定部１１２により、画像における被写体の位置情報が設定される（図５（ａ）参照）。ここでは、予め撮影された画像Ｘの画枠内における被写体の位置が、被写体の位置情報として設定されたものとして説明する。
【００２３】
次に、ユーザによって図示しないシャッタ操作部が操作されることにより、連写撮影が行われる。
撮像光学系１０１によって取得された被写体の像は、ユーザによって図示しないシャッタ操作部が操作されることにより、撮像光学系１０１を介して撮像素子１０２の撮像面に結像され、撮像素子１０２によって電気信号に変換された被写体の像が、画像データとして取得され、画像処理部１０３に出力される。
【００２４】
画像処理部１０３では、入力された画像データに対してγ補正等の高画質化のための画像処理が施される。そして、画像処理された画像データは、バッファメモリ１１１に出力されて一時保存される。ここで、連写撮影により取得されて一時保存された画像データとして、図５の画像Ａ，Ｂ，Ｃ，Ｄを例示する（図５（ｂ）参照）。画像Ａ，Ｂ，Ｃ，Ｄは、同じ被写体を連写撮影したものであるが、撮影タイミング等によって被写体の位置が異なる画像となっている。
【００２５】
バッファメモリ１１１に複数の画像データが一時保存されると、被写体検出部１０４により、画像Ａ，Ｂ，Ｃ，Ｄのそれぞれに対して被写体の位置特定が行われる（図５（ｃ）参照）。
【００２６】
そして、位置情報比較部１０９により、画像Ａ，Ｂ，Ｃ，Ｄのそれぞれに対して、位置情報設定部１１２により設定された画像Ｘの画枠内における被写体の位置と被写体検出部１０４により検出された被写体の位置との比較が行われる（図５（ｄ）参照）。比較結果として、画像Ｘの画枠内における被写体の位置との一致率は、画像Ｃが８０％と最も高く、次いで画像Ｄが４０％、画像Ｂが１０％、画像Ａが０％である。
【００２７】
上記のように位置情報比較部１０９により算出された比較結果に基づいて、画像ソート部１１０により、画像の並び替えが行われる（図５（ｅ）参照）。具体的には、画像Ｘの画枠内における被写体の位置との一致率が高い順に、すなわち、画像Ｃ，Ｄ，Ｂ，Ａの順に並び替えられる。
【００２８】
以上の処理が行われた各画像データは、表示部１０６に画像Ｃ，Ｄ，Ｂ，Ａの順に目視可能に表示され、表示された画像に対してユーザによる選択が促される。
つまり、ユーザは、まず、表示部１０６に表示された画像Ｃを確認し、画像Ｃが所望の画像と合致していない場合には、画像Ｄ，Ｂ，Ａの順に確認を行い、最も所望の画像に合致する画像を選択することができる。
【００２９】
以上説明したように、本実施形態に係るカメラによれば、位置情報比較部１０９により位置情報設定部１１２に設定された被写体の位置情報と被写体検出部１０４により検出された被写体の位置とが比較され、その比較結果に基づいて画像ソート部１１０により記録部１０５に記録された画像の並び替えが行われる。したがって、撮影者は、位置情報設定部１１２に所望の被写体の位置を設定することにより、設定した構図に近い画像を表示部１０６に優先的に表示させることができ、複数の画像の中から所望の構図を有する画像を選択する作業を容易に行うことが可能となる。
【００３０】
なお、本実施形態において、位置情報設定部１１２により設定される位置情報が、撮像部２により予め取得した画像における被写体の位置として説明したが、予め撮影した画像がない場合、あるいは、予め撮影した画像の中に所望の構図を有する画像がない場合には、図３（ｂ）に示すように、画面における被写体の領域をユーザに設定させてもよい。
【００３１】
また、図６に示すように、被写体検出部１０４により複数の被写体が検出された場合には、検出された複数の被写体の中から、注目する被写体を選択してもよい。あるいは、被写体の特徴を登録しておき、該特徴を検出することにより注目被写体を特定することとしてもよい。
このようにすることで、被写体検出部１０４により複数の被写体が検出された場合にも、注目する被写体が所望の位置となるような画像を優先的に表示することができる。
【００３２】
また、図４（ｂ）に示すように、位置情報比較部１０９が、被写体検出部１０４により検出された被写体の中心位置と位置情報設定部１１２に設定された座標との距離を、比較結果として算出することとしてもよい。
このようにすることで、所望の構図を有する画像に対する各画像の評価を定量的に、かつ容易に行うことができる。
【００３３】
また、本実施形態では、画像処理装置としてハードウェアによる処理を前提としていたが、このような構成に限定されるものではない。例えば、別途ソフトウェアにて処理する構成も可能である。この場合、画像処理装置は、ＣＰＵ、ＲＡＭ等の主記憶装置、上記処理の全て或いは一部を実現させるためのプログラムが記録されたコンピュータ読み取り可能な記録媒体を備えていればよい。そして、ＣＰＵが上記記憶媒体に記録されているプログラムを読み出して、情報の加工・演算処理を実行することにより、上述の画像処理装置と同様の処理を実現させることができる。ここでコンピュータ読み取り可能な記録媒体とは、磁気ディスク、光磁気ディスク、ＣＤ−ＲＯＭ、ＤＶＤ−ＲＯＭ、半導体メモリ等をいう。
【００３４】
上記のソフトウェアによる具体的な処理について、図７に示すフローチャートに基づいて以下に説明する。
まず、撮影モードであるか否かが判断され（Ｓ１）、撮影モードでない場合には被写体の位置情報の登録操作を行うか否かが判断される（Ｓ２）。登録操作を行う場合には、予め撮影した画像、または、模式的に被写体を表すシンボル等を用いて、画像における被写体位置を特定し（Ｓ３）、特定した被写体位置を登録する（Ｓ４）。
【００３５】
次に、撮影モードとされ、連写撮影が開始されると（Ｓ５）、入力された画像データに対して、γ補正等の画像処理が順次行われ（Ｓ６）、画像処理が行われた画像データはバッファメモリに記録される（Ｓ７）。
【００３６】
そして、例えば、ユーザの操作、あるいは、予め設定された撮影枚数の撮影が終了することにより、連写撮影が終了したか否かが判断される（Ｓ８）。
連写撮影が終了していない場合にはＳ６に戻り、連写撮影が終了した場合には、撮影された各画像データを解析し、動きのある被写体の位置を特定する（Ｓ９）。
【００３７】
撮影された全画像について、被写体位置の特定が終了した場合には（Ｓ１０）、各画像データに対して、Ｓ４において登録された被写体位置との比較が行われる（Ｓ１１）。
撮影された全画像について、予め登録された被写体の位置との比較が終了した場合には（Ｓ１２）、比較結果に基づいて画像データの並び替えが行われる（Ｓ１３）。
そして、並び替えられた順番で各画像データを外部記録媒体に記録し（Ｓ１４）、撮影を終了する。
【図面の簡単な説明】
【００３８】
【図１】本発明の一実施形態に係るカメラが備える機能を展開して示した機能ブロック図である。
【図２】被写体の検出方法を説明する図である。
【図３】被写体の位置情報の設定方法を説明する図であり、（ａ）は予め撮影した画像を使用する方法、（ｂ）は模式的に被写体の位置を設定する方法である。
【図４】被写体の位置評価方法を説明する図であり、（ａ）は被写体の領域を用いた評価方法、（ｂ）は被写体の中心座標間の距離を用いた評価方法である。
【図５】図１に示すカメラの動作を説明する図であり、（ａ）は位置登録動作、（ｂ）は撮影動作、（ｃ）は被写体の位置特定動作、（ｄ）は位置評価動作、（ｅ）はソート・記録動作を説明する図である。
【図６】複数の被写体から注目被写体を選択する方法を説明する図である。
【図７】本発明の一実施形態に係るカメラの処理手順を示すフローチャートである。
【符号の説明】
【００３９】
１  カメラ
２  撮像装置
３  画像処理装置
１０４  被写体検出部
１０５  記録部
１０６  表示部
１０９  位置情報比較部
１１０  画像ソート部
１１１  バッファメモリ
１１２  位置情報設定部
【図１】
2009065455.tif 000003
【図２】
2009065455.tif 000004
【図３】
2009065455.tif 000005
【図４】
2009065455.tif 000006
【図５】
2009065455.tif 000007
【図６】
2009065455.tif 000008
【図７】
2009065455.tif 000009